(57)【特許請求の範囲】
【請求項１】
１方向に延長する複数の第１の板状部材と前記１方向と直交する方向に延長する複数の第２の板状部材とを格子状に組み合わせて、前記第１及び第２の板状部材の端面により３次元空間における曲面形状を表現する曲面モデルであって、
前記第１及び第２の板状部材は、
それぞれ一定のピッチでスリットが設けられ、前記第１の板状部材の前記スリットに前記第２の板状部材の前記スリットを噛み合わせて前記第１の板状部材の前記スリットに前記第２の板状部材を挿入することにより格子状に組み合わされ、
前記第１及び第２の板状部材の少なくとも１方は、
弾性を有する金属板材で作成され、前記スリットに当該スリットが設けられた部位の変形を容易とする切込みが設けられ、
前記第１及び第２の板状部材が重なりあうように全体を押しつぶす応力を加えた場合には、前記スリットを設けた部位が変形して全体が押しつぶされた形状となり、
前記応力の除去により、前記金属板材の弾性によって押しつぶされた形状が元の形状に戻る
曲面モデル。
【請求項２】
前記切込みは、
前記スリットの根元に設けられた、前記スリットと直交する方向に前記スリットから延長する細溝である
請求項１に記載の曲面モデル。
【発明の詳細な説明】
【技術分野】
【０００１】
本発明は、例えば置物として展示する３次元曲面形状等の曲面モデルに関する。
【背景技術】
【０００２】
従来、例えば特開平７−３３４７０４号公報等に、自由曲面作成方法が種々に提案されている。これらに開示の方法では、コンピュータを使用してワイヤフレームモデル等により曲面を表現すると共に、このワイヤフレームモデルに対して視点等を設定してディスプレイで表示している。
【先行技術文献】
【特許文献】
【０００３】
【特許文献１】特開平７−３３４７０４号公報
【発明の概要】
【発明が解決しようとする課題】
【０００４】
ところでこの種の曲面の形状を模型（以下、曲面モデルと呼ぶ）で表現すれば、一段と曲面の理解を深めることができ、便利であると考えられる。またこの種の曲面モデルは、装飾品としての価値を見出すことができ、これにより置物として使用することもできる。しかしながら例えば置物として使用する場合、この種の曲面モデルは、保存、運搬が困難になる恐れがある。特に詳細に形状を表現しようとすると、曲面モデルは大型になることを避け得ず、この場合には著しく保存、運搬が困難になる。
【課題を解決するための手段】
【０００５】
本発明は、上述の課題に鑑みてなされたものであり、置物等として使用する曲面モデルに関して、保存、運搬に便利な曲面モデルを提案することを目的とする。このため、本発明は、以下の技術的事項から構成される。
【０００６】
（１）１方向に延長する複数の第１の板状部材と前記１方向と直交する方向に延長する複数の第２の板状部材とを格子状に組み合わせて、前記第１及び第２の板状部材の端面により３次元空間における曲面形状を表現する曲面モデルであって、前記第１及び第２の板状部材は、それぞれ一定のピッチでスリットが設けられ、前記第１の板状部材の前記スリットに前記第２の板状部材の前記スリットを噛み合わせて前記第１の板状部材の前記スリットに前記第２の板状部材を挿入することにより格子状に組み合わされ、前記第１及び第２の板状部材の少なくとも１方は、弾性を有する金属板材で作成され、前記スリットに当該スリットが設けられた部位の変形を容易とする切込みが設けられる。
【０００７】
（２）前記切込みは、前記スリットの根元に設けられた、前記スリットと直交する方向に前記スリットから延長する細溝である請求項１に記載の曲面モデル。
【０００８】
（１）の曲面モデルは、スリットが設けられた部位の変形を容易とする切込みが設けられることから、スリットが設けられた部位を容易に変形させ、第１及び第２の板状部材が重なりあうように、全体を押しつぶして保存、搬送することができる。また第１及び又は第２の板状部材が弾性を有する金属板材で作成されて、切り込みが設けられていることから、押しつぶして保存、運搬して、必要に応じて元の形状に戻すことができる。これにより保存、運搬に便利な曲面モデルを提供することができる。
【０００９】
（２）の曲面モデルは、この切り込みがスリットと直交する方向にスリットから延長する細溝であることから、より具体的な構成により、保存、運搬に便利な曲面モデルを提供することができる。
【発明の効果】
【００１０】
本発明によれば、例えば置物として使用する曲面モデルに関して、保存、運搬に便利な曲面モデルを提供することができる。
【図面の簡単な説明】
【００１１】
【図１】本発明の第１の実施の形態に係る置物の説明に供する図である。
【図２】本発明の第１の実施の形態に係る置物を示す斜視図である。
【図３】図２の置物の平面図である。
【図４】図２の置物の部品である第１の板状部材の図である。
【図５】他の第１の板状部材の図である。
【図６】図２の置物の部品である第２の板状部材の図である。
【図７】他の第２の板状部材の図である。
【図８】図２の置物を押しつぶした状態を示す斜視図である。
【発明を実施するための形態】
【００１２】
以下、本発明の実施形態について詳述する。
【００１３】
（１）実施の形態の構成
図２は、本発明の実施の形態に係る置物を示す斜視図である。この置物１は、いわゆる双曲放物面を表す曲面モデルである。この置物１は、図２との対比により図１に示すように、１方向に延長する複数の第１の板状部材２ａ、２ｂ、２ｃ、２ｄ、２ｅ、……と、この１方向と直交する方向に延長する複数の第２の板状部材３ａ、３ｂ、３ｃ、３ｄ、３ｅ……とを格子状に組み合わせて作成される。
【００１４】
ここで第１及び第２の板状部材２ａ、２ｂ、２ｃ、２ｄ、２ｅ、……及び３ａ、３ｂ、３ｃ、３ｄ、３ｅ……は、それぞれ一定のピッチで、下方及び上方よりスリットＳが設けられる。置物１は、第１の板状部材２ａ、２ｂ、２ｃ、２ｄ、２ｅ、……のスリットＳに、対応する第２の板状部材３ａ、３ｂ、３ｃ、３ｄ、３ｅ……のスリットＳを噛み合わせ、第１の板状部材２ａ、２ｂ、２ｃ、２ｄ、２ｅ、……のスリットＳに第２の板状部材３ａ、３ｂ、３ｃ、３ｄ、３ｅ……を挿入することにより格子状に組み合わされる。なおこの実施の形態では、この第１及び第２の板状部材２ａ、２ｂ、２ｃ、２ｄ、２ｅ、……及び３ａ、３ｂ、３ｃ、３ｄ、３ｅ……は、枚数がそれぞれ１９枚に設定される。
【００１５】
置物１は、このように第１及び第２の板状部材２ａ、２ｂ、２ｃ、２ｄ、２ｅ、……及び３ａ、３ｂ、３ｃ、３ｄ、３ｅ……を格子状に組み合わせて、第１及び第２の板状部材２ａ、２ｂ、２ｃ、２ｄ、２ｅ、……及び３ａ、３ｂ、３ｃ、３ｄ、３ｅ……の下側端面が、例えばｘｙ平面等の基準平面、又はこの基準平面と平行な面を表現するように設定される。さらに上側端面が３次元空間における曲面形状を表現するように設定される。より具体的には、これら第１及び第２の板状部材２ａ、２ｂ、２ｃ、２ｄ、２ｅ、……及び３ａ、３ｂ、３ｃ、３ｄ、３ｅ……の幅（図２においては、高さである）が曲面形状に応じて設定される。またこの高さの１／２が各スリットＳの長さに設定される。
【００１６】
上方より見て図３により示すように、この実施の形態において、置物１は、この基準平面上の矩形の領域又は基準平面と平行な面上の矩形の領域について曲面形状を表現するように設定され、この矩形形状の領域を斜め４５度により横切る方向がそれぞれ第１及び第２の板状部材２ａ、２ｂ、２ｃ、２ｄ、２ｅ、……及び３ａ、３ｂ、３ｃ、３ｄ、３ｅ……の延長方向に設定される。
【００１７】
第１及び第２の板状部材２ａ、２ｂ、２ｃ、２ｄ、２ｅ、……及び３ａ、３ｂ、３ｃ、３ｄ、３ｅ……は、それぞれ弾性を有するステンレス等の金属板材で作成され、図１において符号Ａにより部分的に拡大して示すように、スリットＳが設けられた部位の変形を容易とする切込みが各スリットＳに設けられる。この実施の形態では、この切り込みが、スリットＳの根元に設けられた、スリットＳと直交する方向にスリットＳから延長する細溝Ｍにより形成される。
【００１８】
図４及び図５は、それぞれ符号２ａ及び２ｇにより示す第１の板状部材の正面図、平面図、右側面図、左側面図及び底面図である。この図４及び図５に示す第１の板状部材２ａ及び２ｇは、意匠として把握することもできる。なお第１の板状部材を意匠として把握した場合、意匠に係る物品の名称は、置物の部品であり、意匠に係る物品は、複数の物品から構成される組み立て式の置物の一の部品である。そして正面図で表されるこの物品の形状は、置物１によって表現される曲面形状に対応する曲線形状に上辺が設定された形状であって、他の部品である第２の板状部材を挿入するスリットＳが、底辺側に、一定のピッチで、各部の高さの１／２の長さで設けられ、各スリットＳの付け根には細溝Ｍが設けられる。また右側面図及び左側面図は、当該第１の板状部材２ａ及び２ｇの金属板材の板厚に対応する幅を有し、曲面形状に対応する高さを有する長方形形状により表される。また底面図は、この金属板材の板厚に対応する高さを有し、スリットＳを見て取ることができる長方形形状により表される。また平面図は、金属板材の板厚に対応する高さを有する長方形形状により表される。なお背面図は、正面図と対象形状により表されることから省略する。
【００１９】
また図６及び図７は、それぞれ符号３ａ及び３ｇにより示す第２の板状部材の正面図、平面図、右側面図、左側面図及び底面図である。この図６及び図７により示す第２の板状部材３ａ及び３ｇも、意匠として把握することもでき、意匠に係る物品の名称及び意匠に係る物品は、第１の板状部材２ａ、２ｇと同一である。そして正面図で表されるこの物品の形状は、置物１によって表現される曲面形状に対応する曲線形状に上辺が設定された形状であって、他の部品である第１の板状部材を挿入するスリットＳが、上辺側に、一定のピッチで各部の高さの１／２の長さで設けられ、各スリットＳの付け根には細溝Ｍが設けられる。また右側面図及び左側面図は、当該第２の板状部材３ａ及び３ｇの金属板材の板厚に対応する幅を有し、曲面形状に対応する高さを有する長方形形状により表される。また底面図は、この金属板材の板厚に対応する高さを有する長方形形状により表される。平面図は、金属板材の板厚に対応する高さを有し、スリットＳを見て取ることができる長方形形状により表される。なお背面図は、正面図と対象形状により表されることから省略する。
【００２０】
（２）実施の形態の動作
以上の構成において、この置物１では、下方より一定のピッチでスリットＳが設けられている第１の板状部材２ａ、２ｂ、２ｃ、２ｄ、２ｅ、……に対して、上方より同様のスリットが設けられている第２の板状部材３ａ、３ｂ、３ｃ、３ｄ、３ｅ……を格子状に組み合わせて組み立てられ、これら第１及び第２の板状部材２ａ、２ｂ、２ｃ、２ｄ、２ｅ、……及び３ａ、３ｂ、３ｃ、３ｄ、３ｅ……の端面形状により所望の３次元曲面形状が表現される（図１）。これによりこの置物１では、曲面形状に応じてこれら第１及び第２の板状部材２ａ、２ｂ、２ｃ、２ｄ、２ｅ、……及び３ａ、３ｂ、３ｃ、３ｄ、３ｅ……の高さを種々に変更して、各種の曲面形状を表現することができる。これにより各種の曲面について理解を深めることができる。また装飾品としての価値を見出すことができ、これにより置物としの価値を見出すことができる。
【００２１】
しかしながらこの置物１は、このままでは保存、運搬が困難になる。そこでこの置物１では（図１）、第１及び第２の板状部材２ａ、２ｂ、２ｃ、２ｄ、２ｅ、……及び３ａ、３ｂ、３ｃ、３ｄ、３ｅ……がそれぞれ弾性を有する金属板材で作成される。さらに第１及び第２の板状部材２ａ、２ｂ、２ｃ、２ｄ、２ｅ、……及び３ａ、３ｂ、３ｃ、３ｄ、３ｅ……は、各スリットＳの付け根に細溝Ｍによる切込みが設けられ、この切込みによりスリットＳを設けた部位が変形容易に設定される。
【００２２】
これにより図１との対比により図８に示すように、置物１では、第１及び第２の板状部材２ａ、２ｂ、２ｃ、２ｄ、２ｅ、……及び３ａ、３ｂ、３ｃ、３ｄ、３ｅ……が重なりあうように、応力Ｆにより全体を押しつぶして保存、搬送することができる。また必要に応じて元の形状に戻すことができる。
【００２３】
（３）実施の形態の効果
以上の構成によれば、スリットにより格子状に板状部材を組み合わせて曲面形状を表現するようにして、スリットが設けられた部位の変形を容易とする切込みを設けることにより、スリットが設けられた部位を容易に変形させ、第１及び第２の板状部材が重なりあうように、全体を押しつぶして保存、搬送することができる。また第１及び第２の板状部材が弾性を有する金属板材で作成されて、この切り込みが設けられていることから、押しつぶして保存、運搬して、必要に応じて元の形状に戻すことができる。これにより保存、運搬に便利な曲面モデルを提供することができる。
【００２４】
またこの切り込みが、スリットと直交する方向にスリットから延長する細溝であることから、より具体的な構成により、保存、運搬に便利な曲面モデルを提供することができる。
【００２５】
（４）他の実施の形態
なお上述の実施の形態では、本発明の実施に好適な具体的な構成を詳述したが、本発明にあっては、本発明の趣旨を逸脱しない範囲で、上述の実施の形態の構成を種々に変更等することができる。
【００２６】
すなわち上述の実施の形態においては、スリットの付け根に、スリットから横方向に延長する細溝により切込みを設ける場合について述べたが、本発明はこれに限らず、これに代えて、又はこれに加えて、スリットの途中に細溝による切込みを１個又は複数個設けてもよい。またスリットの長さに応じて切込みの数を増減して、より具体的にはスリットの長さが長くなるに従って切込みの数を増大させ、局所的な応力集中を回避し、さらには一段と変形し易くしてもよい。
【００２７】
また上述の実施の形態においては、切り込みの形状を細溝とする場合について述べたが、本発明はこれに限らず、切り込みの形状は、スリットが設けられた部位の変形を容易とする形状であればよく、種々の形状を広く適用することができる。従って切り込みを円形形状、三角形形状、四角形形状としてもよい。
【００２８】
また上述の実施の形態においては、第１及び第２の板状部材の双方に切込みを設ける場合について述べたが、本発明はこれに限らず、実用上十分な場合には、１方の板状部材にのみ切込みを設けてもよく、さらには一部のスリットにのみ切込みを設けてもよい。
【００２９】
また上述の実施の形態においては、第１及び第２の板状部材の双方を弾性を有する金属板材により作成する場合について述べたが、本発明はこれに限らず、実用上十分な強度、復元力を確保できる場合には、第１及び第２の板状部材の１方のみを弾性を有する金属板材としてもよい。
【００３０】
また上述の実施の形態においては、スリットの長さを高さの１／２とし、各板状部材の中央で、第１及び第２の板状部材によるスリットの根元がぶつかり合うように設定する場合について述べたが、本発明はこれに限らず、このぶつかり合う部位をいずれかの側に偏らせるようにスリットの長さを設定してもよい。
【００３１】
またさらに上述の実施の形態においては、単にスリットに板状部材を差し込んで保持する場合について述べたが、本発明はこれに限らず、例えばスリットに沿った部位に凸部、切り起し等を設け、この凸部、切り起こし等により板状部材の脱落防止機構を設けるようにしてもよい。なおこの場合に、図１におけるスリットと細溝とで作成される角部を曲げ加工して切り起しの部位とし、脱落防止機構としてもよい。
【００３２】
またさらに上述の実施の形態においては、双曲放物面の曲面モデルに本発明を適用する場合について述べたが、本発明はこれに限らず、各種曲面形状の曲面モデルに広く適用することができる。
【符号の説明】
【００３３】
１    置物
２ａ〜２ｇ  第１の板状部材
３ａ〜３ｇ  第２の板状部材
Ｓ  スリット
Ｍ  細溝
【図１】
0005525846.tif 000002
【図２】
0005525846.tif 000003
【図３】
0005525846.tif 000004
【図４】
0005525846.tif 000005
【図５】
0005525846.tif 000006
【図６】
0005525846.tif 000007
【図７】
0005525846.tif 000008
【図８】
0005525846.tif 000009